(57)【要約】【課題】前に撮影されたＸ線画像の部分範囲を高い位置分解能で表示するＸ線画像を作成可能にする。  【解決手段】本発明は、Ｘ線源（８）と、被検体（Ｐ）の第１のＸ線画像データセットを作成するための第１のＸ線検出器（９，１００）とを備えたＸ線装置（１）に関する。Ｘ線装置（１）は、付加的に、被検体（Ｐ）の第２のＸ線画像データセットを作成するための第２のＸ線検出器（２０）を含む。第２のＸ線検出器（２０）は、第１のＸ線検出器（９，１００）よりも小さい検出器面（２３）を有し、かつ第２のＸ線画像データセットに割り付けられるＸ線画像が第１のＸ線画像データセットに割り付けられるＸ線画像（１２）よりも高い位置分解能を有する。【選択図】図２
2005152640.tif 000002
【特許請求の範囲】
【請求項１】
Ｘ線源（８）と、被検体（Ｐ）の第１のＸ線画像データセットを作成するための第１のＸ線検出器（９，１００）とを備えたＸ線装置において、
Ｘ線装置（１）は被検体（Ｐ）の第２のＸ線画像データセットを作成するための第２のＸ線検出器（２０）を含み、第２のＸ線検出器（２０）は、
第１のＸ線検出器（９，１００）よりも小さい検出器面（２３）を有し、
第２のＸ線画像データセットに割り付けられたＸ線画像が第１のＸ線画像データセットに割り付けられたＸ線画像（１２）よりも高い位置分解能を有するように構成されている
ことを特徴とするＸ線装置。
【請求項２】
第２のＸ線検出器（２０）は平面状画像検出器であり、平面状画像検出器の検出器要素（２２）は２０μｍ〜８０μｍの辺長さを有することを特徴とする請求項１記載のＸ線装置。
【請求項３】
第２のＸ線検出器（２０）は１５ｃｍ2〜１００ｃｍ2の検出器面（２３）を有することを特徴とする請求項１又は２記載のＸ線装置。
【請求項４】
第２のＸ線検出器（２０）はＸ線装置（１）の機械的保持装置（２１）に配置されていることを特徴とする請求項１乃至３の１つに記載のＸ線装置。
【請求項５】
第２のＸ線検出器（２０）は、第２のＸ線画像データセットを取得するために、第１のＸ線検出器（９，１００）の直前に配置可能であることを特徴とする請求項１乃至４の１つに記載のＸ線装置。
【請求項６】
第１のＸ線検出器（９，１００）に付設されたＸ線線量制御装置は第２のＸ線検出器（２０）の線量制御にも使用可能であることを特徴とする請求項１乃至５の１つに記載のＸ線装置。
【請求項７】
第１のＸ線画像データセットに割り付けられたＸ線画像（１２）を表示するための表示装置（１３）と、第１のＸ線画像データセットに割り付けられかつ表示装置（１２）により表示されたＸ線画像（１２）の範囲選択手段（１３）と、第２のＸ線画像データセットに割り付けられたＸ線画像が選択された範囲を含むように、Ｘ線源から出るＸ線経路内に第２のＸ線検出器（２０）を配置可能にする第２のＸ線検出器（２０）の位置決め手段とが設けられていることを特徴とする請求項１乃至６の１つに記載のＸ線装置。
【請求項８】
表示装置はタッチ画面（１３）であり、範囲選択手段は、タッチ画面（１３）に表示されかつ第１のＸ線画像データセットに割り付けられたＸ線画像（１２）の範囲への手の触れによって実現されていることを特徴とする請求項７記載のＸ線装置。
【請求項９】
範囲選択手段は表示装置に挿入可能なマークを含むことを特徴とする請求項７記載のＸ線装置。
【請求項１０】
Ｘ線源（８）と第１のＸ線検出器（９，１００）とを有するＸ線装置（１）の第１のＸ線検出器（９，１００）により被検体（Ｐ）の第１のＸ線画像データセットを作成するステップと、
第１のＸ線画像データセットに割り付けられたＸ線画像（１２）を表示装置（１３）により表示するステップと、
第１のＸ線画像データセットに割り付けられたＸ線画像（１２）を選択するステップと、
第１のＸ線画像データセットに割り付けられたＸ線画像よりも高い位置分解能を有しかつ選択された範囲を描出するＸ線画像が割り付けられた第２のＸ線画像データセットを第２のＸ線検出器（２０）によって被検体（Ｐ）から作成すべく、Ｘ線源（８）から出るＸ線経路中に、第２のＸ線検出器（２０）を自動的に運び込むステップと、
第２のＸ線画像データセットを作成するステップと
を有することを特徴とするＸ線画像データセットの作成方法。
【請求項１１】
表示装置はタッチ画面（１３）であり、範囲は手の触れにより選択されることを特徴とする請求項１０記載の方法。
【請求項１２】
範囲が表示装置に挿入されるマークによって選択されることを特徴とする請求項１０記載の方法。
【請求項１３】
表示装置（１３）において選択された範囲に基づいて、第１のＸ線画像データセットに割り付けられたＸ線画像（１２）における前記範囲に対応する画像座標を求め、その後第２のＸ線検出器（２０）を、第１のＸ線検出器（９，１００）の直前でかつ求められた画像座標に対応する位置に配置することを特徴とする請求項１０乃至１２の１つに記載の方法。
【請求項１４】
第２のＸ線検出器（２０）は第１のＸ線検出器（９，１００）よりも小さいことを特徴とする請求項１０乃至１３の１つに記載の方法。
【請求項１５】
第２のＸ線検出器（２０）は１５ｃｍ2〜８０ｃｍ2の検出器面（２３）を有することを特徴とする請求項１０乃至１４の１つに記載の方法。
【請求項１６】
第２のＸ線検出器（２０）は平面状画像検出器であり、平面状画像検出器の検出器要素（２２）は２０μｍ〜８０μｍの辺長さを有することを特徴とする請求項１０乃至１５の１つに記載の方法。
【請求項１７】
第１のＸ線画像データセットのための画像処理手段は、第２のＸ線検出器により発生された出力信号の信号処理のためにも使用されることを特徴とする請求項１０乃至１６の１つに記載の方法。
【請求項１８】
第１のＸ線検出器（９，１００）に付設されているＸ線量制御装置は第２のＸ線検出器（２０）の線量制御にも使用されることを特徴とする請求項１０乃至１６の１つに記載の方法。
【発明の詳細な説明】
【技術分野】
【０００１】
本発明は、Ｘ線装置およびＸ線画像データセットの作成方法に関する。
【背景技術】
【０００２】
Ｘ線装置は、主としてＸ線源とＸ線検出器とからなる。Ｘ線撮影中、Ｘ線源からＸ線ビームが出射し、出射したＸ線ビームは例えば患者である被検体を透過する際に減弱されてＸ線検出器に入射する。Ｘ線イメージインテンシファイアまたは読取電子装置を接続された平面状画像検出器を含むＸ線検出器は、信号処理により、Ｘ線検出器の検出器面に入射するＸ線強度分布をＸ線画像データセットに変換する。Ｘ線画像データセットに割り付けられたＸ線画像は表示装置により表示することができる。
【０００３】
特に血管撮影、また特に神経医学において、例えば細い血管またはステント構造物のような比較的小さい表示構造物を示すために、Ｘ線画像の部分範囲を拡大表示することが時折どうしても必要となる。しかしながら、Ｘ線検出器により撮影されたＸ線画像の位置分解能は限られているので、拡大された部分範囲の位置分解能は不十分である。高分解能のＸ線検出器の使用はコスト上の理由から断念されている。
【発明の開示】
【発明が解決しようとする課題】
【０００４】
本発明の課題は、前に撮影されたＸ線画像の部分範囲を高い位置分解能で表示するＸ線画像を作成可能にするように冒頭に述べたＸ線装置を構成することにある。本発明の課題は、前に撮影されたＸ線画像の部分範囲を高い位置分解能で表示するＸ線画像の作成方法を提供することにもある。
【課題を解決するための手段】
【０００５】
Ｘ線装置に関する課題は、本発明によれば、Ｘ線源と、被検体の第１のＸ線画像データセットを作成するための第１のＸ線検出器とを備えたＸ線装置において、Ｘ線装置は被検体の第２のＸ線画像データセットを作成するための第２のＸ線検出器を含み、第２のＸ線検出器は、第１のＸ線検出器よりも小さい検出器面を有し、第２のＸ線画像データセットに割り付けられたＸ線画像が第１のＸ線画像データセットに割り付けられたＸ線画像よりも高い位置分解能を有するように構成されていることによって解決される。
【０００６】
本発明によるＸ線装置の基本思想は、Ｘ線装置に付加的に第２の小さなＸ線検出器を装備させることにある。第２のＸ線検出器は、本発明による実施態様によれば、１５ｃｍ2〜１００ｃｍ2の特に正方形、矩形または円形の検出器面と、３ｃｍ以下の僅かな構造高さとを有する。第２のＸ線検出器は、高い位置分解能を有するＸ線画像の作成を可能にする。第２のＸ線検出器は、特に、第１のＸ線検出器により取得されたＸ線撮像の部分範囲について別のより高い位置分解能を有する被検体Ｘ線撮像を作成するために設けられている。第２のＸ線検出器は特に透視動作または撮影動作で作動するとよい。
【０００７】
第２のＸ線検出器によりできるだけ高い位置分解能を有するＸ線画像を得るために、第２のＸ線検出器として、本発明の変形例によれば、特に２０μｍ〜８０μｍの辺長さを有する検出器要素からなる平面状画像検出器が使用される。
【０００８】
平面状画像検出器は、主としてＸ線受容体、高分解能センサ、および低ノイズ高性能読取電子装置を含むＸ線検出器である。Ｘ線受容体は、例えば特にヨウ化セシウムを有するシンチレータ、または例えばテルル化カドミウムの如き直接変換材料を含む。高分解能センサは、例えばＣＣＤチップ、ＣＭＯＳチップまたはアモルファスシリコン平面状画像検出器である。
【０００９】
本発明による実施態様によれば、第２のＸ線検出器は、Ｘ線装置の機械的保持装置に配置されており、それゆえ第２のＸ線検出器が必要とされる場合機械的保持装置により、Ｘ線源から出るＸ線経路内に運び込むことができる。第２のＸ線検出器が必要とされない場合、第２のＸ線検出器を、例えば第１のＸ線検出器の横又は背後の待機位置に待機させておくことができる。特に、第２のＸ線検出器は、第２のＸ線画像データセットを取得するために、第１のＸ線検出器の直前に配置することができる。
【００１０】
第２のＸ線画像データセットに割り付けられたＸ線画像を作成するために、つまり第２のＸ線画像データセットの信号処理をするために、第１のＸ線画像データセット用として設けられた画像処理ソフトウェアの如き、第１のＸ線画像データセットを取得するための構成要素を利用することができる。
【００１１】
第２のＸ線検出器の線量制御をするために、本発明の変形例によれば、第１のＸ線検出器に付設されたＸ線線量制御装置を使用することができる。なぜならば、第２のＸ線検出器は第１のＸ線検出器よりも小さく、特に第１のＸ線検出器の直前に配置される場合到来するＸ線を完全に吸収することができ、それゆえ第１のＸ線検出器は同様になおも、到来するＸ線を吸収することができるからである。
【００１２】
第２のＸ線検出器の検出器面が比較的小さいことから、Ｘ線散乱ビームの低減手段は一般に省略することができる。しかしながら、Ｘ線散乱の低減がどうしても必要な場合には、例えば高分解能の散乱Ｘ線除去グリッドを組み込むとよい。
【００１３】
第２のＸ線検出器を操作するために、なおも、例えば適用すべきＸ線量、所望の画像周波数またはディジタル画像処理パラメータを決定するいわゆる器官プログラムを設けるとよい。第２のＸ線検出器における複数の検出器要素が１つの検出器要素グループに統合される分解能階級の選択手段を設けることもできる。本発明によるＸ線装置は、第１のＸ線検出器に対して相対的に第２のＸ線検出器の幾何学的な姿勢を生じる選択手段も含むとよい。このために本発明によるＸ線装置は、本発明の有利な実施態様によれば、第１のＸ線画像データセットに割り付けられたＸ線画像を表示するための表示装置と、第１のＸ線画像データセットに割り付けられかつ表示装置により表示されたＸ線画像の範囲選択手段と、第２のＸ線画像データセットに割り付けられたＸ線画像が選択された範囲を含むように、Ｘ線源から出るＸ線経路内に第２のＸ線検出器を配置可能にする第２のＸ線検出器の位置決め手段とを有する。
【００１４】
表示装置はタッチ画面であると有利である。範囲選択手段は、タッチ画面に表示されかつ第１のＸ線画像データセットに割り付けられたＸ線画像の範囲を手で触れることによって実現することができる。しかし、範囲選択手段は、表示装置に挿入可能なマーク、例えばジョイスティックにより移動されるマークを有するのもよい。
【００１５】
Ｘ線画像データセットの作成方法に関する課題は、本発明によれば、Ｘ線源と第１のＸ線検出器とを有するＸ線装置の第１のＸ線検出器により被検体の第１のＸ線画像データセットを作成するステップと、第１のＸ線画像データセットに割り付けられたＸ線画像を表示装置により表示するステップと、第１のＸ線画像データセットに割り付けられたＸ線画像を選択するステップと、第１のＸ線画像データセットに割り付けられたＸ線画像よりも高い位置分解能を有しかつ選択された範囲を描出するＸ線画像が割り付けられた第２のＸ線画像データセットを第２のＸ線検出器によって被検体から作成すべく、Ｘ線源から出るＸ線経路中に、第２のＸ線検出器を自動的に運び込むステップと、第２のＸ線画像データセットを作成するステップとが行なわれることによって解決される。
【００１６】
本発明によれば、第１のＸ線検出器とＸ線源とを有するＸ線装置により、第１のＸ線画像データセットに割り付けられた被検体のＸ線画像が作成され、表示装置により表示される。表示されたＸ線画像の部分範囲をより高い分解能で特に拡大して表示するために、まずこの範囲が選択されるつまり選び出される。表示装置が例えばタッチ画面であれば、この範囲は簡単にタッチ画面に相応に手で触れることによって選択することができる。通常の表示装置の場合、この範囲は例えばいわゆるカーソルの如き表示装置内に挿入されたマークにより選択することができる。このマークは例えばジョイスティックまたはコンピュータマウスにより移動され、本来の範囲は例えばクリックすることによって選択される。
【００１７】
範囲が選択された後、第１のＸ線検出器により撮影されたＸ線画像よりも高い分解能を有するＸ線画像を撮影することができる第２のＸ線検出器が、選択された範囲を描出する第２のＸ線画像データセットの作成を可能にするべく、Ｘ線源から出るＸ線経路内に自動的に運び込まれる。このために、本発明による方法の有利な変形例によれば、例えば、Ｘ線装置のデータ処理装置は、選択された範囲に割り当てられた画像座標を求め、その後第２のＸ線検出器を第１のＸ線検出器の直前でかつ求められた画像座標に対応する位置に配置する。
【００１８】
続いて、第２のＸ線検出器により被検体のＸ線撮影が行なわれ、つまり第２のＸ線画像データセットが作成される。第２のＸ線検出器に割り付けられたＸ線画像は、第１のＸ線検出器に割り付けられたＸ線画像の選択された範囲を高い位置分解能で表示する。
【００１９】
第２のＸ線検出器としては、本発明の実施態様によれば、特に、正方形、矩形または円形の１５ｃｍ2〜１００ｃｍ2の検出器面を有する比較的小さいＸ線検出器が使用される。第２のＸ線検出器は特に透視動作または撮影動作で作動するとよい。
【００２０】
本発明による変形例によれば、第２のＸ線検出器によりできるだけ高い位置分解能を有するＸ線画像を得るために、第２のＸ線検出器として、特に２０μｍ〜８０μｍの辺長さを有する検出器要素からなる平面状画像検出器が使用される。
【００２１】
平面状画像検出器は、主としてＸ線受容体、高分解能センサ、および低ノイズ高性能読取電子装置からなるＸ線検出器である。Ｘ線受容体は、例えば特にヨウ化セシウムを有するシンチレータ、または例えばテルル化カドミウムの如き直接変換材料を含む。高分解能センサは、例えばＣＣＤチップ、ＣＭＯＳチップまたはアモルファスシリコン平面状画像検出器である。
【発明を実施するための最良の形態】
【００２２】
実施例が概略図で例示されている。
図１は２つのＸ線検出器を備えた部分的にブロック図で示されたＸ線機器を示し、
図２〜図６は図１に示されたＸ線検出器の部分図を示し、
図７〜図１３は図１〜図６に示されたＸ線検出器の代替構造を示す。
【００２３】
図１は、ＣアームＸ線機器１の形で本発明によるＸ線装置を少なくとも部分的にはブロック図で示す。ＣアームＸ線機器１はハウジング２を有し、このハウジング２の内部には図１に概略的に示された柱４を備えた昇降装置３が配置されている。柱４には保持部５が配置されている。保持部５にはＣアーム７として形成されている担持装置７を支承する支承部６が配置されている。Ｃアーム７は、Ｘ線源８と、本実施例の場合には第１の平面状画像検出器９であるＸ線検出器とを有する。Ｘ線源８および第１の平面状画像検出器９は、Ｘ線源８から出射するＸ線ビーム１０が第１の平面状画像検出器９に当たるようにＣアーム９に互いに相対的に配置されている。Ｘ線ビーム１０の縁ビームは図１に破線で示されている。
【００２４】
支承部６は公知のように保持部５と支承部６との共通な軸線Ａの周りで回転可能に（二重矢印ａ参照、角度形成）かつ軸線Ａの方向に移動可能に（二重矢印ｂ参照）保持部５に支承されている。Ｃアーム７はこの周囲に沿って二重矢印ｏの方向に支承部６に対して相対的に移動可能に支承部６に支承されている（軌道運動）。昇降装置３により、支承部６および保持部５を介して昇降装置３の柱４に結合されているＣアーム７がＣアームＸ線機器１のハウジング２に対して相対的に垂直方向に高さ位置調整可能である。
【００２５】
更に、ＣアームＸ線機器１はＸ線透過性が十分によいテーブルＴを含み、このテーブルＴ上に患者ＰがＸ線撮影中横たわる。テーブルＴの保持手段は図の見やすさのため図１には示されていない。患者Ｐの関心領域の撮影中、Ｘ線源８から出射したＸ線ビーム１０は患者Ｐを通過する際に減弱されてＸ線強度分布として第１の平面状画像検出器９に入射する。この平面状画像検出器９の後には一般には公知の読取電子装置が接続されている。平面状画像検出器９は図の見やすさのため図１には示されていない電気配線によりコンピュータ１１に接続されている。コンピュータ１１上では信号処理プログラムが走る。この信号処理プログラムは、読取電子装置を接続された第１の平面状画像検出器９の検出器面に入射したＸ線強度分布に対応する平面状画像検出器９の出力信号をＸ線画像データセットに変換する。このＸ線画像データセットに割り付けられたＸ線画像１２が、この実施例の場合には、タッチ画面１３である表示装置に表示される。タッチ画面１３は電気配線１４によりコンピュータ１１に接続されている。
【００２６】
更に、第１の平面状画像検出器９は図１に明示的に示されていないが、しかしながら当業者にとって公知の線量制御装置を有する。
【００２７】
更に、ＣアームＸ線機器１は、本実施例の場合には保持装置２１により第１の平面状画像検出器９に固定されている第２の平面状画像検出器２０を有する。両平面状画像検出器９，２０の詳細図が図２〜図６に示されている。
【００２８】
第２の平面状画像検出器２０は、特に、第１の平面状画像検出器９により形成されるＸ線画像１２の如きＸ線画像の部分範囲を高い位置分解能で表示するために設けられている。本実施例の場合、第２の平面状画像検出器２０の検出器要素２２は５０μｍの辺長さを持つ。更に、第２の平面状画像検出器２０の検出器面２３は第１の平面状画像検出器９の検出器面９ａよりも小さい。第２の平面状画像検出器２０の検出器面２３は本実施例の場合５０ｃｍ2の大きさである。
【００２９】
第２の平面状画像検出器２０は、図２〜図６に詳細に示された保持装置２１に固定されている。保持装置２１は本実施例において案内レール２６からなる。案内レール２６に第２の平面状画像検出器２０が電動機２９により回動可能に配置されている。この第２の平面状画像検出器２０は、図５に示された二重矢印ｃに沿って、第１の平面状画像検出器９の検出器面９ａの直前を電動機２７により移動させることができる。電動機２７，２９は、図示されていない電気配線によりＣアームＸ線機器１のコンピュータ１１に接続され、コンピュータ１１の入力要素、例えば図の見やすさのために図示されていないキーボードにより制御することができる。
【００３０】
保持装置２１の案内レール２６は、さらに保持装置２１の２つの案内レール２５，２５ａに配置され、電動機２８により第１の平面状画像検出器９の検出器面９ａに対して二重矢印ｄに沿って移動させることができる。電動機２８は同様に図示されていない電気配線によりコンピュータ１１に接続され、コンピュータ１１により制御可能である。
【００３１】
第２の平面状画像検出器２０が必要とされない場合、図２および図３に示されているように、第２の平面状画像検出器２０は第１の平面状画像検出器９の背後の「待機位置」ＰＰに回動されて置かれている。第２の平面状画像検出器２０がＸ線撮影に必要とされる場合、本実施例において、第２の平面状画像検出器２０は、例えば第１の運転モードにおいて上述のキーボードにより、例えばキーボードにおける第１の運転モードに割り当てられたキーが押されることによって作動状態にされる。第１の運転モードの作動後、コンピュータ１１は電動機２９を、図３に示されているように第２の平面状画像検出器２０が待機位置ＰＰから矢印ｆに沿って回動されて運転位置ＢＰへ移動するように制御される。続いて、第２の平面状画像検出器２０は本実施例の場合には上述のキーボードの矢印キーによりＸ線撮影のために望まれた位置に運び込まれる。このためにコンピュータ１１は両電動機２７，２８を相応に駆動する。第２の平面状画像検出器２０がＸ線撮影に望まれた位置にある場合、第２の平面状画像検出器２０は、本実施例の場合、コンピュータ１１に接続されている図示されていないリニアモータにより図６に示されている矢印ｅの方向に出される。
【００３２】
第２の平面状画像検出器２０の望まれた位置の見出しを簡単にするために、ＣアームＸ線機器１は第１の運転モードのために透視モードで作動する。さらに、本実施例の場合、第１の平面状画像検出器９の線量制御装置は第２の平面状画像検出器２０の線量制御のためにも使用される。同様にコンピュータ１１上で走る信号処理は第２の平面状画像検出器２０の出力信号の信号処理のためにも使用され、それゆえコンピュータ１１はこの出力信号からＸ線画像データセットを算出することができる。このＸ線画像データセットに対応したＸ線画像はタッチ画面１３で見ることができる。
【００３３】
第２の平面状画像検出器２０は本実施例の場合更に第２の運転モードで運転可能である。第２の運転モードが作動させられると、ＣアームＸ線機器１の操作者は、第１の平面状画像検出器９により作成されタッチ画面１３に表示された例えばＸ線画像１２の如きＸ線画像の部分範囲を、本実施例の場合タッチ画面１３における所望の部分範囲に手で触れることにより選ぶことができる。更に、タッチ画面１３は電気配線１４を介してタッチ画面の触れられた位置に割り付けられた電気信号をコンピュータ１１に伝送する。コンピュータ１１は、この電気信号に基づいて、表示されているＸ線画像１２における触れられた位置の画像座標を算出するように構成されている。患者ＰがＸ線画像１２に割り付けられているＸ線撮影から動いていないか又は極めて僅かしか動いておらず、Ｃアーム７が患者ＰつまりテーブルＴに対して相対的に変化しなかったならば、算定された画像座標と、第１の平面状画像検出器９の検出器面９ａにおける前記画像座標に対応した位置との間に直接的な対応関係が生じる。従って、第１の平面状画像検出器９の検出器面９ａに関するどの位置に第２の平面状画像検出器２０が移動させられなければならないかを知って、それにより、選択された部分範囲のＸ線画像を第２の平面状画像検出器２０により作成することができる。第２の平面状画像検出器２０を上述の位置へ案内するために、今やコンピュータ１１は電動機２７，２８を適切に制御する。
【００３４】
図７〜図１０は、第２の平面状画像検出器２０における保持装置２１のための代替案としての実施形態を示す。代替案としての保持装置は符号７０を付されている。
【００３５】
保持装置７０は電動機７１により揺動可能な保持部７２を有し、この保持部７２に平面状画像検出器２０が配置されている。電動機７１は図示されていない電気配線によりコンピュータ１１に接続されこのコンピュータ１１によって駆動される。平面状画像検出器２０が必要とされない場合、保持部７２は図７に示されているように第１の平面状画像検出器９の背後の待機位置ＰＰ’へ回動されて置かれている。平面状画像検出器２０がＸ線撮影に必要とされる場合、電動機７１がコンピュータ１１によって駆動され、保持部７２が矢印αに沿って運転位置ＢＰ’へ回動される
【００３６】
図８に示されているように、第２の平面状画像検出器２０を矢印βに沿って移動させるために、保持部７２は、矢印βに沿って移動可能な保持要素７２ａを有する。保持要素７２ａの矢印β方向への移動はＣアームＸ線機器１のコンピュータ１１によって制御される。
【００３７】
図９に示されているように、第２の平面状画像検出器２０を矢印δの方向に移動させるために、保持部７２は、他の保持部７３に配置され、この保持部７３は第１の平面状画像検出器９に傾動可能に支持されている。図９には保持部７３が実線で第１の位置Ｐ１に示され、かつ破線で第２の位置Ｐ２に示されている。
【００３８】
ちょうど今説明した傾動メカニズムの代わりに、図１０に示されているように、保持部７３をレール７４に沿って矢印δ方向に移動させることもできる。
【００３９】
第１の平面状画像検出器９の代わりに、ＣアームＸ線機器１は図１１〜１３に示されているように検出器面１０１を備えたＸ線インテンシファイア１００を装備することもできる。
【図面の簡単な説明】
【００４０】
【図１】２つのＸ線検出器を備えたＸ線装置の実施例を示す概略構成図
【図２】図１に示されたＸ線検出器の第１の部分詳細図
【図３】図１に示されたＸ線検出器の第２の部分詳細図
【図４】図１に示されたＸ線検出器の第３の部分詳細図
【図５】図１に示されたＸ線検出器の第４の部分詳細図
【図６】図１に示されたＸ線検出器の第５の部分詳細図
【図７】図１〜図６に示されたＸ線検出器の代替構造を示す第１の部分詳細図
【図８】図１〜図６に示されたＸ線検出器の代替構造を示す第２の部分詳細図
【図９】図１〜図６に示されたＸ線検出器の代替構造を示す第３の部分詳細図
【図１０】図１〜図６に示されたＸ線検出器の代替構造を示す第４の部分詳細図
【図１１】図１〜図６に示されたＸ線検出器の代替構造を示す第５の部分詳細図
【図１２】図１〜図６に示されたＸ線検出器の代替構造を示す第６の部分詳細図
【図１３】図１〜図６に示されたＸ線検出器の代替構造を示す第７の部分詳細図
【符号の説明】
【００４１】
１        ＣアームＸ線機器
２        ハウジング
３        昇降装置
４        柱
５        保持部
６        支承部
７        Ｃアーム
８        Ｘ線源
９        第１の平面状画像検出器
９ａ      第１の平面状画像検出器９の検出器面
１０        Ｘ線ビーム
１１        コンピュータ
１２        Ｘ線画像
１３        タッチ画面
１４        電気配線
２０        第２の平面状画像検出器
２１        保持装置
２２        検出器要素
２３        第２の平面状画像検出器２０の検出器面
２５        案内レール
２５ａ      案内レール
２６        案内レール
２７        電動機
２８        電動機
２９        電動機
７０        保持装置
７１        電動機
７２        保持部
７２ａ      保持要素
７３        保持部
７４        レール
１００      Ｘ線イメージインテンシファイア
Ｐ          患者
Ｔ          テーブル
【図１】
2005152640.tif 000003
【図２】
2005152640.tif 000004
【図３】
2005152640.tif 000005
【図４】
2005152640.tif 000006
【図５】
2005152640.tif 000007
【図６】
2005152640.tif 000008
【図７】
2005152640.tif 000009
【図８】
2005152640.tif 000010
【図９】
2005152640.tif 000011
【図１０】
2005152640.tif 000012
【図１１】
2005152640.tif 000013
【図１２】
2005152640.tif 000014
【図１３】
2005152640.tif 000015